(57)【要約】【課題】  十分な強度で且つ傷つけることなく物体を取付金具の内部で挟持することを目的とする。【解決手段】  物品（２００）に着脱可能に取り付けるための本発明の取付金具（１００）は、装飾部材（１０）、一端と装飾部材の裏面部分との間で物品（２００）を挟持するための押え部材（２０）、および装飾部材の裏面（１１）に一端（３１）が固着され、他端（３２）において押え部材（２０）を回転可能に支持するための支持部材（３０）を備える。そして、押え部材の一端（２１）が支持部材の他端（３２）に関して支持部材の一端（３１）の側にあり、装飾部材の裏面部分に当接する方向に付勢され、物品が装飾部材の裏面（１１）と支持部材の他端（３２）との間において挿脱される。【選択図】図１
2015126880.tif 000002
【特許請求の範囲】
【請求項１】
物品（２００）に着脱可能に取り付ける取付金具（１００）であって、
装飾部材（１０）と、
前記物品（２００）を挟持する押え部材（２０）と、
前記装飾部材の裏面（１１）に一端（３１）が固着され、他端（３２）において前記押え部材（２０）を回転可能に支持する支持部材（３０）とを備え、
前記押え部材の一端（２１）が前記支持部材の他端（３２）に関して前記支持部材の一端（３１）の側にあり、前記装飾部材の裏面部分（１２）に当接する方向に付勢され、
前記物品が前記装飾部材と前記支持部材の他端（３２）との間で挿脱される、取付金具。
【請求項２】
前記押え部材の一端（２１）が当接される前記装飾部材の裏面部分（１２）に、シリコンゴムを用いて形成された受け部材（４０）を設け、前記受け部材と前記押え部材の一端（２１）との間で前記物品が挟持されることを特徴とする、請求項１記載の取付金具。
【請求項３】
前記装飾部材の裏面（１１）に対し、前記押え部材の一端（２１）が当接される当接角度が略４５度であることを特徴とする、請求項１または２記載の取付金具。
【請求項４】
前記支持部材の他端（３２）に巻きばね（３３）を設けて、前記支持部材の他端（３２）と前記押え部材が備える連結部（２３）とを連結することを特徴とする、請求項１〜３のいずれか一項記載の取付金具。
【請求項５】
物品（２００）に着脱可能に取り付ける取付金具（１００ａ）であって、
前記物品（２００）を挟持する押え部材（２０ａ）と、
一端（３１ａ）において連結用部材（３５ａ）が設けられ、他端（３２）において前記押え部材を回転可能に支持する支持部材（３０ａ）と、
前記連結用部材の表裏に配置され、前記連結用部材を通じて相互に連結される一組の回転部材（５１，５２）であって、前記連結用部材の裏面の一方の当該回転部材（５２）の裏面に受け部材（４０ａ）が設けられる、一組の回転部材とを備え、
前記受け部材との間で前記物品を挟持する前記押え部材の一端（２１ａ）が、前記支持部材の他端に関して前記支持部材の一端（３１ａ）の側にあり、前記受け部材に当接する方向に付勢され、
前記物品が前記受け部材（４０ａ）と前記支持部材の他端（３２）との間で挿脱される、取付金具。
【請求項６】
前記連結用部材（３５ａ）の表面の他方の前記回転部材（５１）の表面に装飾部材が固定される、請求項５記載の取付金具。
【請求項７】
前記一方の回転部材（５２）が第１開口を有し、他方の回転部材（５１）がビス穴を有し、前記連結用部材が第２開口を有し、
前記一組の回転部材および前記連結用部材が、前記第１開口、前記第２開口、および前記ビス穴を通じてビスにより回転可能に連結される、請求項５または６記載の取付金具。
【請求項８】
前記受け部材がシリコンゴムを用いて形成される、請求項５〜７のいずれか一項記載の取付金具。
【請求項９】
前記受け部材に対して前記押え部材の一端（２１）が当接される当接角度が略４５度であることを特徴とする、請求項５〜８のいずれか一項記載の取付金具。
【請求項１０】
前記支持部材の他端（３２）に巻きばね（３３）を設けて、前記支持部材の他端と前記押え部材が備える連結部（２３）とを連結することを特徴とする、請求項５〜９のいずれか一項記載の取付金具。
【請求項１１】
前記押え部材（２０ａ）において前記連結部（２３）および他端（２２）を含む部分を、前記支持部材の外側から前記押え部材が操作される操作部として設けたことを特徴とする、請求項１０記載の取付金具。
【請求項１２】
前記支持部材の他端（３２）側がＵ字形状を有し、該Ｕ字形状の先端において前記他端（３２）を２箇所設けるように形成され、
前記２つの他端の一方に前記巻きばねを設けたことを特徴とする、請求項１０または１１記載の取付金具。
【発明の詳細な説明】
【技術分野】
【０００１】
本発明は、取付金具に関する。より詳細には、ブローチやネクタイピン等の装身具としても構成可能であり、衣服等の物体の任意の位置に簡単に装着ができ且つ脱落を起こりにくくするための取付金具に関するものである。本発明の取付金具は、片手指先の先端部で操作部分をワンタッチで操作することにより物体を挿脱可能とし、操作部分に設けた巻きばねの力により内側で物体を挟持可能とする。
【背景技術】
【０００２】
指のワンタッチ操作によって物体を挿脱可能とする取付具の従来技術には、中空式の取付構造の内面側で物体を挟持できる機構を有するものがある（特許文献１）。
【０００３】
特許文献１では、ワイシャツやカッターシャツの襟に付する徽章に関するホルダが開示されており、ホルダを指先で摘むなどして側面視略コの字形状の解放側を襟に向けてスライドさせながら取り付け、また、取付具の下部内面側に設けた略「へ」の字形状に形成された板ばね留部のばねの力によって、板ばねとホルダ内面との間に襟を挟持できるようにしている（特許文献１の段落〔００３５〕，図２および５を参照のこと）。
【０００４】
しかしながら、上記特許文献１等に示されるような、ホルダの内面に板ばねを設け、内面との間で物体を挟持する従来技術の取付具は、板ばねの大きさやばね強度の選択が難しいという欠点があった。すなわち、物体に装着させても、ばねの力が適切でないためにしっかり固定されず、ずり落ちたり外れたりすることも多く、その一方で、物体が例えば布の場合、布ずれ防止のためにばね力を強力なものにすると金属同士による挟持では布生地を傷つけてしまうおそれがあった。更に、厚手の物体や薄手の物体の両方を挟持できるように取付具を対応させることも困難であり、使用用途が限定的なものとなっていた。
【先行技術文献】
【特許文献】
【０００５】
特許文献１：特許第４９７７２６７号
【発明の概要】
【発明が解決しようとする課題】
【０００６】
本発明は、物体を傷つけることなく、十分な強度で中空式の取付具の内面で挟持することを目的とする。より具体的には、押え部材の一端と取付具内面との間で物体を挟持させるようにして、人の指先の先端による押え部材のワンタッチ操作で物体を挿脱可能とするとことを目的とする。
【課題を解決するための手段】
【０００７】
上述した課題を解決するために、物品（２００）に着脱可能に取り付けるため取付金具（１００）を提供する。本発明の一実施形態による取付金具（１００）は、装飾部材（１０）、物品（２００）を挟持するための押え部材（２０）、および装飾部材の裏面（１１）に一端（３１）が固着され、他端（３２）において押え部材（２０）を回転可能に支持するための支持部材（３０）を備える。そして、押え部材の一端（２１）が支持部材の他端（３２）に関して支持部材の一端（３１）の側にあり、押え部材の一端（２１）が装飾部材の裏面部分に当接する方向に付勢されて、物品が装飾部材の裏面（１１）と支持部材の他端（３２）との間において挿脱されることを特徴とする。
【０００８】
また、当該取付金具（１００）は、押え部材の一端（２１）が当接される装飾部材の裏面部分においてシリコンゴムを用いて形成された受け部材（４０）を設け、当接部（１２）と押え部材の一端（２１）との間で物品が挟持されることを特徴とする。更に、当該取付金具（１）は、支持部材の他端（３２）に巻きばね（３３）を設けて、支持部材の他端（３２）と押え部材が備える連結部（２３）とを連結することを特徴とする。
【０００９】
本発明の他の実施形態による取付金具（１００）は、物品（２００）を挟持する押え部材（２０ａ）、一端（３１ａ）において連結用部材（３５ａ）が設けられ、他端（３２）において押え部材を回転可能に支持する支持部材（３０ａ）、連結用部材の表裏に配置され、連結用部材を通じて相互に連結される一組の回転部材（５１，５２）であって、連結用部材の裏面の一方の回転部材（５２）の裏面に受け部材（４０ａ）が設けられる一組の回転部材を備える。そして、受け部材との間で物品を挟持する押え部材の一端（２１ａ）が、支持部材の他端に関して支持部材の一端（３１ａ）の側にあり、受け部材に当接する方向に付勢され、物品が受け部材（４０ａ）と支持部材の他端（３２）との間で挿脱されることを特徴とする。
【００１０】
当該取付金具（１００）では、連結用部材（３５ａ）の表面の他方の回転部材（５１）の表面に装飾部材が固定される。また、一方の回転部材（５２）が第１開口を有し、他方の回転部材（５１）がビス穴５１１を有し、更に、連結用部材が第２開口３５０ａを有し、一組の回転部材および連結用部材が第１および第２開口、並びにビス穴を通じてビス（５３）により回転可能に連結されることを特徴とする。更に、受け部材に対して押え部材の一端（２１）が当接される当接角度が略４５度であることを特徴とする。
【発明の効果】
【００１１】
このようにして構成される本発明の取付金具は、例えば装身具として構成した場合には、片手指先の先端による操作部のワンタッチ操作による物体（ここでは衣類）へのスムーズな挿脱が容易であり、装身具を衣類に装着しても装身具が脱落しないのみならず、布ずれを起こすこともなく安定的に固定される。更に、布生地を傷めることもなく、厚手の生地から薄手の生地まで幅広く対応することができる。
【図面の簡単な説明】
【００１２】
【図１】図１は、本発明の第１実施形態による取付金具の概略側面図である。
【図２】図２は、図１の取付金具の概略側面図に基づいて、物品に対する一連の装着動作を示した概要図である。
【図３】図３は、図１の取付金具の概略側面図に基づいて、取付金具を物品に取り付け、内部で物品を挟持した状態を示した概略図である。
【図４】図４は、本発明の第１実施形態による取付金具が備える押え部材の斜視図である。
【図５】図５は、本発明の第１実施形態による取付金具が備える押え部材の六面図である。
【図６】図６は、本発明の第１実施形態による取付金具が備える支持部材の斜視図である。
【図７】図７は、本発明の第１実施形態による取付金具が備える支持部材の六面図である。
【図８】図８は、本発明の第１実施形態による取付金具が備える支持部材および押え部材の連結状態の斜視図である。
【図９】図９は、本発明の第１実施形態による取付金具が備える支持部材および押え部材の連結状態の六面図である。
【図１０】図１０は、本発明の第１実施形態による取付金具の斜視図である。
【図１１】図１１は、本発明の第１実施形態による取付金具の六面図である。
【図１２】図１２は、本発明の第１実施形態による取付金具の斜視図である。
【図１３】図１３は、本発明の第１実施形態による受け部材、およびこれを構成するシリコン固定ピンおよびシリコンゴムカバーの斜視図である。
【図１４】図１４は、本発明の第２実施形態による取付金具の概略側面図である。
【図１５】図１５は、本発明の第２実施形態による取付金具が備える押え部材の斜視図である。
【図１６】図１６は、本発明の第２実施形態による取付金具が備える押え部材の六面図である。
【図１７】図１７は、本発明の第２実施形態による取付金具が備える支持部材の斜視図である。
【図１８】図１８は、本発明の第２実施形態による取付金具が備える支持部材の六面図である。
【図１９】図１９は、本発明の第２実施形態による取付金具の構造図である。
【図２０】図２０は、本発明の第２実施形態による取付金具の六面図である。
【発明を実施するための形態】
【００１３】
本発明の各実施形態に係る取付金具について、以下、各図面を参照しながら説明する。なお、以下において同一の符号は同一の構成要素を示す。
【００１４】
なお、以下の実施形態は例示に過ぎず、特許請求の範囲に記載の発明がこれに限定されるものではない。以下の実施形態の説明において、取付金具は、例えばブローチやネクタイピン等の装身具として構成可能であり、装身具を衣服等の布の任意の位置に装着することを例示して説明するが、これに限定されるものではない。例えば、本発明の取付金具は上記以外の装身具ではカフスボタンに適用可能であるし、また、装身具以外では文房具のクリップホルダやマネークリップ等にも適用可能である。すなわち、紙や布を挿脱可能とし、内部で挟持により固定可能とするものであれば、如何なる態様の取付金具としても適用可能である。
第１実施形態
図１は、本発明の第１実施形態による取付金具１００の全体概要について示す概略側面図である。取付金具１００は、主に、装飾部材１０、押えプレート（押え部材）２０、および支持アーム（支持部材）３０を備える。取付金具１００の側面は図示のように側面コの字形状を有する。なお、図１では簡略化のため各構成要素を直線で表すものの、実際には、図４〜１２に示すとおり、例えば指で摘みやすいようにするといった操作性や外観上の美感性をもたせること等を目的として、適宜曲線状として形成できることが当業者にとって理解されるべきである。
【００１５】
装飾部材１０は、表面にブローチ等の装身具における装飾形状を有し、また裏面１１には、押えプレートの挟持端２１を当接させるための当接部分（裏面部分）１２がその一部として設けられる。なお、この詳細は図１２，図１３において斜視図で後述するとおりである。
【００１６】
押えプレート（押え部材）２０は、装飾部材１０の裏面１１の当接部分１２に対して当接可能な挟持端２１を備え、図３に示すように、例えば布２００を挿入した場合に、挟持端２１、（特に、押えプレート２０の表面の先端部分）および装飾部材の裏面の当接部分１２の間で布２００を押え、挟持するように構成される。押えプレート２０はまた、挟持端２１とは反対側にあり且つ支持アーム３０の外側方向にまで延びた、指先の先端で操作するための操作端２２、および挟持端２１と操作端２２の間に設けた、支持アーム３０に連結させるための連結部２３（後述の図４において押えプレート２０の裏面上に設けた符号２３１，２３２の部分）を備える。操作端２２および連結部２３の間の支持アーム３０が外側方向に延びる部分は、人が指先先端部を掛けて、押えプレート２０を押圧により付勢するように操作させるための操作部２４を形成する。なお、押えプレート２０の詳細な形状については、図４において斜視図で、図５において六面図で示すとおりである。
【００１７】
支持アーム（支持部材）３０は、図１のとおり側面略Ｌ字形状を有する。支持アーム３０は、装飾部材の裏面１１に固着させるための固着端３１、および固着端３１とは反対側にある、押えプレート２０を回転可能に支持するための支持端３２を備える。なお、支持アーム３０の水平面（表側）は、人が指で取付金具１を摘んだ際に、例えば親指の指先中央部を当てる指当て面３４として形成される。支持端３２は、押えプレートの連結部２３との嵌合により連結され、特に、支持端３２に巻きばね（トーションバネ）３３を設けることで、支持アームの支持端３２を押えプレートの連結部２３に連結させる。なお、巻きばね３３は、図３において太線「く」の字形状で表す。この巻きばね３３は、自由状態での巻き角度が９０度且つ巻き数が２のものが最適であり、支持アーム３０から支持端３２および連結部２３を介して押えプレートの挟持端２１方向へ鋭角となるように配置することにより、支持アーム３０と押えプレート２０を連結させるのがよい。支持アーム３０の詳細な形状については、図６において斜視図で、図７において六面図で示すとおりである。
【００１８】
また、本実施形態による取付金具１００においては、図１からも分かるとおり、押えプレートの挟持端２１が支持アームの支持端３２に関して支持アームの固着端３１の側に回転可能に配置される。つまり、押えプレートの挟持端２１は、支持アームの支持端３２に対して側面コの字形状の底部側に回転可能に配置される。そして、押えプレートの挟持端２１は、巻きばね３３の巻き角度を鋭角の状態で維持するために、巻きばねの応力により、常に、装飾部材の裏面１１に当接する方向に付勢された状態となる。このようにして、布２００は、装飾部材の裏面１１および支持アームの支持端３２の間の部分、すなわち開口部分を通じて挿脱され、取付金具の内部における装飾部材の裏面１１、特に当接部分１２において押えプレートの挟持端２１との間で挟持される。
【００１９】
なお、図１のような当接状態において、装飾部材の裏面１１に対し押えプレートの挟持端２１を当接させる当接角度が「θ１＝４５度」となるように押えプレートを調整配置しておくのが、その後の布２００の挟持状態での挟持強度の観点から、安定的で好ましいことが本発明者の実験により判明している。すなわち、挟持する布の摩擦抵抗を考慮すると、布２００挿入時において布に対する押えプレート２０の角度をできるだけ４５度近くにするのが好ましい。仮に、当接角度θ１を４５度より大きくした場合には、取付金具１００を薄い布地２００から脱着する動作を行う際に、押えプレートの挟持端２１が脱着方向に付勢されると押えプレート２０が可動範囲を超えてひっくり返る等の問題が生じ得る。その一方で、当接角度θ１を４５度より小さくした場合には、薄い布地２００を挿入し挟持しても挟持強度が不十分となり取付金具１００がずれ落ちてしまう問題が生じ得ることが考察される。
【００２０】
このように構成される本実施形態による取付金具１００は、片手指先の先端部を通じた操作部のワンタッチ操作によるスムーズな挿脱が容易となり、厚手の布から薄手の布まで幅広く対応することが可能となる。
【００２１】
更に、本実施形態による取付金具１００は、装飾部材の裏面１１に設けられた当接部分１２に、シリコンゴムを用いて形成された受け部材４０を設けており、布２００を受け部材４０および押えプレートの挟持端２１の間で挟持するように構成される。この点、本実施形態による取付金具１００は、従来技術において金属同士で布を挟持していたものに対し、片方をシリコンゴムを用いて挟持するように構成することにより、挟持強度がより強力なものとすることができる。つまり、取付金具を装着した際の脱落や布ずれを起こすことがなくなるのみならず、布生地を傷めることもなくなる。なお、受け部材４０の詳細な形状については、図１２，１３において斜視図で後述するとおりである。
【００２２】
次に図２を参照して、人が指で装身具１００を摘んでワンタッチでスムーズに布２００を挿入させ、装身具を装着させる一連の装着動作について説明する。図２（ａ）は図１と同様に布２００を挿入していない状態であり、図２（ｂ）は布２００を挿入中の状態、そして図２（ｃ）は布２００を挿入し、布２００が取付金具１内部で押えプレート２０によって挟持される状態をそれぞれ側面図として示す。
【００２３】
図２（ａ）の状態では、押えプレート２０は、挟持端２１が、装飾部材の裏面１１の当接部分１２において当接される。この状態では、支持アームの支持端３２に設けた巻きばね３３の応力が働いた状態で挟持端２１が当接部分１２において係止される。巻きばね３３は、先に説明したように、巻きばねの自由状態での巻き角度が９０度、巻き数が２のものを使用するのが最適であり、支持アーム３０から支持端３２および連結部２３を介して押えプレートの挟持端２１方向へ鋭角となるように配置される。
【００２４】
図２（ｂ）の状態では、まず、人が取付金具１００を摘む際に支持アーム３０の指当て面３４に例えば親指の先端中央部を当て、その指先の先端部を押えプレートの操作部２４に掛ける。そして、その指先先端で操作部２４を押圧し、連結部２３を支点にして操作部２４を回転させるように操作して、装飾部材１０および押えプレート２０の間に布２００を取付金具１内部に挿入させるための空間を確保する（操作〔１〕）。次いで、操作部２４を押圧した状態のまま、取付金具１００を布２００に対してスライドさせて布２００を取付金具１内部に挿入させる（操作〔２〕）。
【００２５】
図２（ｃ）の状態では、布２００を取付金具１内部に挿入させた後、指先を離して操作部２４の押圧を解除することで、押えプレートの挟持端２１が、巻ばね３３の応力に従って装飾部材の裏面１１の当接部分１２に当接する方向（方向Ｄ）に付勢され、そして、布２００が当接部分１２（受け部材４０）および挟持端２１の間で挟持される。その結果、取付金具１００が装着および固定される。なお、布２００から装身具を脱着させるときには、これらと逆の操作を行えば良いことは言うまでもない。
【００２６】
このように、本実施形態による取付金具１００（装身具）は、布２００が装飾部材の裏面１１および支持アームの支持端３２の間の部分、すなわち開口部分において挿脱可能であり、片手の親指指先の先端部で操作部分をワンタッチで操作することによりスムーズに布２００に着脱可能に取り付け可能である。
【００２７】
図３は、本実施形態による取付金具１００（装身具）に布２００を挿入させて、金具内部で布を挟持することで取付金具１００を装着した状態を示した概略側面図である。図３（ａ）は、取付金具１００を薄手の布に取り付けた場合を、また、図３（ｂ）は厚手の布に取り付けた場合を示す。本実施形態による取付金具１００では、取付金具内部において押えプレートの挟持端２１が連結部２３を中心にして破線上を回転により移動可能であり、金具内部のいずれの回転位置にあっても巻ばね３３の応力により挟持端２１を付勢可能となるように形成する。そして、布２００は、取付金具の挿入開口部分に挿脱可能な厚みであれば、厚手から薄手までの任意の生地に幅広く対応することができる。
【００２８】
これより図４〜図９を参照して、本発明の第１実施形態による取付金具１００が備える支持アーム３０および押えプレート２０の各々の構造並びにこれらを嵌合により連結した構造について詳細に説明する。
【００２９】
まず図４を参照する。図４は、本実施形態による取付金具１００が備える押えプレート２０の斜視図である。図示のように、押えプレートの表面における先端部の挟持端が直線形状となるように挟持端２１を構成する。つまり、布２００と直接接触して挟持できるようにすることにより、挟持強度が十分なものとなり、取付金具を装着した際の脱落や布ずれを起こすことがなくなる。連結部２３は、図示のとおり、押えプレートの裏面の一部に設けられ、図６に示す支持アームの２つの支持端３２１，３２２に嵌合により連結されるよう２つの連結部２３１，２３２を有する。また、押えプレートの中央部には開口２５を設けてある。更に、操作部２４は、指先の先端部を掛け易いように操作端２２に向けて側面が厚みを増すように、また平面角部を丸みを持たせるように形成される。そして、操作部２４側面が厚みを増した部分には軽量化のための開口２６を設けてある。勿論、押えプレート２０の構造が開口２５，２６や操作部の形状に限定されない。図５はこのような本実施形態による取付金具１００が備える押えプレート２０の六面図を示す。
【００３０】
次に図６を参照する。図６は、本実施形態による取付金具１００が備える支持アーム３０の斜視図である。そして、図６（ａ），（ｂ）は、支持アーム３０をそれぞれ別の角度から見たものである。図６（ａ），（ｂ）からも分かるとおり、これに限定されないが、支持アーム３０の支持端３２側、すなわち指当て面３４部分は２脚となるように分岐してＵ字形状を有するように形成され、また、支持端３２をＵ字形状の先端に２箇所３２１，３２２設けるように形成するのがよい。そして、またこれに限定されないが、２つの支持端３２１，３２２の内の片方（ここでは３２２）に先に述べた巻きばね３３を１つ設けるように構成するのがよい。なお、図６において、このように指当て面３４部分をＵ字形状にして２つの支持端を有するようにしたのは、指当て面３４に指を当てた際の馴染みやすさに加えて、支持端を１つにした場合と比べ支持体の耐久性の点で有利となるからである。図７はこのような本実施形態による取付金具１００が備える支持アーム３０の六面図を示す。
【００３１】
図８は、本実施形態による取付金具１００において、図４に示した押えプレート２０および図６に示した支持アーム３０について、押えプレート２０の連結部２３１，２３２および支持アームの２つの支持端３２１，３２２をそれぞれ嵌合して連結した様子を示す。そして、図９はこのように支持アーム３０と押えプレート２０を連結した状態の六面図を示す。
【００３２】
図１０および１１を参照して、本発明の第１実施形態による取付金具１００の全体構造について説明する。
【００３３】
図１０は、図８に示したような連結状態の押えプレート２０および支持アーム３０を、更に装飾部材１０に固着させた本実施形態による取付金具１００の全体を示す。ここでは、装飾部材１０の裏面１１に支持アームの固着端３１が溶接により固着される。図１０（ａ）および（ｂ）は、このような取付金具１００をそれぞれ別の角度から見た斜視図である。そして、図１１はこのような本実施形態による取付金具１の六面図を示す。
【００３４】
図１０（ａ）のとおり、装飾部材１０は、これに限定されないが、例示として半楕円体形状を有するように構成される。また、図１０（ｂ）を参照すると、装飾部材１０の裏面１１に設けられた当接部分には、図１で説明した、シリコンゴムを用いて形成された受け部材４０が設けられる。
【００３５】
図１２は、図１０（ｂ）に示した当接部分１２に設けた受け部材４０部分を透明部として示したものである。図示のとおり、受け部材４０は、図１３（ａ）にも示すような、平面が円形状の皿４１１を有する側面Ｔ字形状のシリコン固定ピン４１に対し、図１３（ｂ−１）、図１３（ｂ−２）に示すような略円盤形のシリコンゴムカバー４２を、底面に設けた穴４２１からはめ込むように装着して内部の空洞部４２２でシリコン固定ピンの皿４１１を覆う（図１３（ｃ））。そして、シリコン固定ピン４１の脚４１２の先端を装飾部材１０の裏面１１に設けられた当接部分１２に、ろう付けなどの溶接により固着する。このように受け部材４０を構成することにより、単なる地金製の受け部（装飾部材の裏面１１）では、布２００が滑って外れやすく押え布地２００に安定的に固定することが困難であったという問題点を解消し、布２００と受け部材４０の間での固定について、シリコンゴムが有する高い摩擦係数と弾力を利用した安定的な固定を可能にする。
【００３６】
なお、図１０（ｂ）のように、シリコンゴムを外部から保護するため、装飾部材１０の裏面１１が凹形状を有し、その凹み部分において当接部分に受け部材４０を設けるようにするとよい。
第２実施形態
次に、図１４以降を参照して、本発明の第２実施形態による取付金具１００ａについて、上記の第１実施形態による取付金具１００との相違部分を中心に説明する。
【００３７】
図１４は、本発明の第２実施形態による取付金具１００ａの全体概要について説明する概略側面図である。取付金具１００ａは、布２００を挟持する押えプレート（押え部材）２０ａ、および支持アーム（支持部材）３０ａを備える点では、図１に示した第１実施形態による取付金具１００と同様である。一方、次に説明するように、それぞれの形状や機能の点で異なる。特に、支持アーム（支持部材）３０ａの固着端３１ａに設ける当接部分１２ａの構成において異なる。
【００３８】
支持アーム３０ａは、端部３１ａに設けられた連結用部材３５ａと共に略コの字形状を有する。図１４の支持アーム３０ａは、支持端３２において押えプレート２０を回転可能に支持する。また、支持端３２は、押えプレートの連結部２３との嵌合により連結され、特に、支持端３２に巻きばね（トーションバネ）３３を設けることにより、支持アームの支持端３２を押えプレートの連結部２３に連結させる。
【００３９】
連結用部材３５ａの表裏には、一組の回転部材５１，５２を配置して接触させ、当該連結用部材３５ａを通じて当該一組の回転部材５１，５２を相互に連結する。より具体的には、連結用部材３５ａは、中心に開口３５０ａを有し、当該開口を通じてビス５３により上記一組の回転部材５１，５２を相互に連結可能なように、当接部１２ａの一部として構成される。
【００４０】
受け部材４０ａが、連結用部材３５ａの裏面の回転部材５２の裏面部分に回転部材５２の一部として設けられる。つまり、受け部材４０ａは回転部材５２と一体であり、一組の回転部材５１，５２と共に回転可能である。
【００４１】
当接部１２ａは、その裏側において押えプレートの挟持端２１を当接させる。当接部１２ａはまた、一組の回転部材５１，５２（および受け部材４０ａ）、並びに連結用部材３５ａを備え、連結用部材３５ａに対して、一組の回転部材５１，５２（および受け部材４０ａ）が一体として同方向に回転可能となるよう、ビス５３を用いて連結させる。
【００４２】
本実施形態による取付金具１００ａでは、図１４からも分かるとおり、押えプレートの挟持端２１ａは、支持アームの支持端３２に関して支持アームの端部３１ａの側に回転可能に配置される。つまり、押えプレートの挟持端２１ａは支持アームの支持端３２に対して側面コの字形状の底部側に回転可能に配置される。そして、押えプレートの挟持端２１ａは、図１と同様、巻きばね３３の巻き角度を鋭角の状態で維持するために、巻きばねの応力により、常に、受け部材４０ａに当接する方向に付勢された状態となる。このようにして、布２００は、受け部材４０ａおよび支持アームの支持端３２の間の部分、即ち開口部分を通じて挿脱される。つまり、布２００は、取付金具の内部における当接部分１２、特に受け部分４０ａにおいて押えプレートの挟持端２１との間で挟持される。
【００４３】
このように構成される本実施形態による取付金具１００ａは、片手指先の先端部を通じた操作部のワンタッチ操作によるスムーズな挿脱が容易となり、厚手の布から薄手の布まで幅広く対応することが可能となる。
【００４４】
また、図１と同様、当接状態では、受け部材４０ａに対し押えプレートの挟持端２１を当接させる当接角度が４５度となるように押えプレートを調整配置しておくのが、その後の布２００の挟持状態での挟持強度の観点から、安定的で好ましい。
【００４５】
これより図１５〜図１８を参照して、本発明の第２実施形態による取付金具１００ａが備える押え部材２０ａおよび支持アーム３０ａについて詳細に説明する。
【００４６】
まず図１５を参照する。図１５は、本実施形態による取付金具１００ａが備える押えプレート２０ａの斜視図である。図１５（ａ），（ｂ）はそれぞれ上下それぞれ別の角度から見た斜視図である。当業者に理解されるように、図４の押えプレート２０と対比して、押えプレート２０ａでは、先端部の挟持端２１が、図示の縦方向および横方向の各方向（図示）に溝を設けることにより形成される。
【００４７】
この内、図１５（ａ）に示すように、横方向に沿って溝を形成し、第１線および第２線を構成することにより、（図３のように）布２００に挟持された場合に、第１線および第２線の２段による係止を構成可能にする。挟持状態における２段での係止は、任意の厚さを有する布２００の挟持強度をより強化し、特に図１５の縦方向への布ずれを防止することができる。更に、図１５（ａ）に示すように、縦方向にも２列の溝を形成することにより、第１線上では３点２１１，２１２，２１３における布２００との係止を構成可能にする。挟持状態におけるこのような３点での係止はまた、任意の厚さを有する布２００の挟持強度をより強化し、特に図１５の横方向への布ずれの防止を可能にする。
【００４８】
加えて、図１５（ｂ）に示すように、押えプレート２０ａでは、連結部２３および操作端２２を含む部分を、人の指により支持アーム３０ａの外側から操作される操作部２４として設ける。更に、操作部２４において平行した複数の溝を設けることにより、指を乗せやすくし、操作性を向上させる。図１６は、本実施形態による取付金具１００ａが備える押えプレート２０ａの六面図を示す。
【００４９】
次に図１７を参照する。図１７は、本実施形態による取付金具１００ａが備える支持アーム（支持部材）３０ａの斜視図であり、図１７（ａ），（ｂ）は、上下それぞれ別の角度から見たものである。第１実施形態と同様、これに限定されないが、支持部材の支持端３２ａ側がＵ字形状を有することにより、当該Ｕ字形状の先端に支持端３２を２箇所設けるように分岐させ、当該２つの支持端の一方に巻きばねを設けるのがよい。
【００５０】
図１７の本実施形態による支持アーム３０ａを第１実施形態の図６と対比すると、支持アーム３０ａが側面略コの字形状を有する点、および端部３１ａには連結用部材３５ａが設けられる点で異なる。連結用部材３５ａでは、図示のとおり、円盤形状を有し中心に開口３５０ａが形成される。図１８はこのような本実施形態による取付金具１００ａが備える支持アーム３０の六面図を示す。
【００５１】
次に、図１９および図２０を参照して、押え部材２０ａ、支持アーム３０ａ、連結用部材３５ａ、回転部材５１，５２（および受け部材４０ａ）を組み立てて構成した本実施形態による取付金具１００ａの構造について詳細に説明する。図１９（ａ）は、本実施形態による取付金具１００ａの分解図、図１９（ｂ）は図１９（ａ）に対応する側面図、図１９（ｃ）は組み立てて構成した取付金具１００ａの斜視図を示す。
【００５２】
図１９（ａ），（ｂ）のように、連結用部材３５ａは、円盤形状を有し、中心に円形の開口３５０ａが形成される。また、連結用部材３５ａの（外側）表面に接触する回転部材５１は、平面が円形の凸字形状を有し、突起部５１０が連結用部材３５ａの開口に嵌まるように形成される。また、突起部５１０は、ビスを受けるビス穴５１１、および回転部材５２の突起５２１と嵌合させるための穴５１２を備える。ここでは、回転部材５１に穴５１２を設け、回転部材５２に突起５２１を設けたが、これとは逆に、回転部材５１に突起を設け、回転部材５２に穴を設けるようにしてもいいことは言うまでもない。
【００５３】
更に、連結用部材３５ａの（内側）裏面に接触する回転部材５２は、円盤形状を有し、中心にビス５３を通すための穴（図示せず）が形成される。また、表面において嵌合穴（図示せず）を備え、回転部材５１の突起部５１０を受けるように形成される。更に、表面において回転部材５１の穴５１２と嵌合させるための突起５２１（図１９（ｂ））を備える。加えて、裏面部分において受け部材４０ａの固定部材４１ａを回転部材５２と一体として設けるように形成される。固定部材４１ａは、受け部材４０ａに具備され、平面が円形の凸字形状を有し、その中央にビス５３を通すための開口が形成される。
【００５４】
なお、固定部材４１ａには、図１２のシリコン固定ピン４１に対するものと同様に、その周囲をシリコンゴムで覆うことにより、全体として受け部材４０ａを形成する。取付金具１００ａは、受け部材４０ａにおいてシリコンゴムを通じて挟持するように構成することにより、挟持強度をより強力なものとすることができる。つまり、取付金具を装着した際の脱落や布ずれを起こすことがなくなるのみならず、布生地を傷めないように構成することができる。
【００５５】
連結用部材３５ａに対して一組の回転部材５１，５２（および受け部材４０ａ）を組み立てて当接部１２ａを構成する場合、連結用部材３５ａの開口３５０ａに位置合わせしてこれらを嵌合させると共に、支持アーム３０ａの内側からビス５３を用いて、回転部材５２の開口、開口３５０ａおよび回転部材５１のビス穴５１１を通してビス締めを行うことによって連結させる。このようにして、一組の回転部材５１，５２（および受け部材４０ａ）は、連結用部材３５ａに対して一体として回転可能と構成することができる。
【００５６】
また、連結用部材３５ａの開口３５０ａに位置合わせしてこれらを嵌合させる際に、一組の回転部材５１，５２を嵌合させるために設けた穴５１２および突起５２１を位置合わせして更に嵌合させることにより、一体となった一組の回転部材５１，５２を常に同方向に回転させ、異なる方向へ回転するのを防ぐことができる。
【００５７】
また、本実施形態では、当接部１２ａにおいて、装飾部材１０ａは、連結用部材３５ａの表面の回転部材５１の表面に固定される。装飾部材の固定は、ろう付けなどの溶接により固着してもよく、また、特定の機構を設けて嵌合させるようにしてもよく、いずれの態様とすることができる。当接部１２ａにおいて装飾部材１０ａを固定することにより、装飾部材１０ａ自体も一体として回転可能に構成することができる。つまり、本実施形態による取付金具１００ａは、装飾部材１０ａを回転可能とすることから、ワンタッチ操作による布へのスムーズな装着の後に、ユーザーは更に、装着時の金具の位置を気にすることなく装飾部材を任意の方向に指向させることができる。
【００５８】
図１９（ｃ）は、当接部１２ａを組み立て、更に支持アーム３０ａに押えプレート２０ａを取り付けて構成した取付金具１００ａの斜視図を示す。また、図２０は当該取付金具１００ａの六面図を示す。なお、支持アーム３０ａに対して押えプレート２０ａは、巻きばね３３を用いて取り付けることになるが、この点の構造は第１実施形態と同様である。
【００５９】
なお、図５，７，９，１１，１６，１８，２０の六面図において、符号（ａ）〜（ｆ）は、いずれも平面図、左側面図、正面図、右側面図、背面図、および底面図をそれぞれ表す。
【００６０】
以上、本発明の取付金具の種々の実施例について説明した。以上の実施形態は例示に過ぎず、特許請求の範囲に記載される発明がこれに限定されるものではないことを再度注記しておく。
【符号の説明】
【００６１】
取付金具                １００，１００ａ
布                      ２００
装飾部材                １０，１０ａ
裏面                    １１
当接部分                １２，１２ａ
表面                    １３
突起                    １４
押えプレート（押え部材）２０，２０ａ
挟持端                  ２１，２１ａ
操作端                  ２２
連結部                  ２３，２３１，２３２
操作部                  ２４
開口                    ２５，２６，３５０ａ
支持アーム（支持部材）  ３０
固着端（端部）          ３１，３１ａ
支持端                  ３２，３２１，３２２
巻きばね                ３３
指当て面                ３４
連結用部材              ３５ａ
受け部材                ４０，４０ａ
シリコン固定ピン        ４１
固定部材                ４１ａ
皿                      ４１１
脚                      ４１２
シリコンゴムカバー      ４２
穴                      ４２１
空洞                    ４２２
ビス                    ５３
【図１】
2015126880.tif 000003
【図２】
2015126880.tif 000004
【図３】
2015126880.tif 000005
【図４】
2015126880.tif 000006
【図５】
2015126880.tif 000007
【図６】
2015126880.tif 000008
【図７】
2015126880.tif 000009
【図８】
2015126880.tif 000010
【図９】
2015126880.tif 000011
【図１０】
2015126880.tif 000012
【図１１】
2015126880.tif 000013
【図１２】
2015126880.tif 000014
【図１３】
2015126880.tif 000015
【図１４】
2015126880.tif 000016
【図１５】
2015126880.tif 000017
【図１６】
2015126880.tif 000018
【図１７】
2015126880.tif 000019
【図１８】
2015126880.tif 000020
【図１９】
2015126880.tif 000021
【図２０】
2015126880.tif 000022